(57)【特許請求の範囲】
【請求項１】
矩形状のヘッド部と、前記ヘッド部上面の中央に連結される柄と、を備える掃除具の前記ヘッド部に装着される清掃用シートにおいて、
前記ヘッド部装着時に短手方向となる方向の一端部の中央から他端部にかけて切れ込み部が形成され、
前記一端部と前記他端部の少なくとも一方には、対向する前記一端部と前記他端部とを着脱自在に係止する係止部が設けられていることを特徴とする清掃用シート。
【請求項２】
前記切れ込み部により形成される切れ込みに沿うようにフリンジ部が設けられていることを特徴とする請求項１に記載の清掃用シート。
【請求項３】
前記係止部は、前記一端部に前記切れ込み部を挟んで一つずつ設けられていることを特徴とする請求項１又は２に記載の清掃用シート。
【請求項４】
前記切れ込み部を挟んで分けられた２つの半面のうち、一方の半面は、予め前記一端部と前記他端部とが接合されて形成され、
他方の半面に、前記係止部が設けられていることを特徴とする請求項１又は２に記載の清掃用シート。
【発明の詳細な説明】
【技術分野】
【０００１】
本発明は、掃除具に装着される清掃用シートに関する。
【背景技術】
【０００２】
従来、清掃用シートを装着可能なヘッド部の上面に、使用者が握るための柄を連結させ、床面の汚れや埃などを払拭して除去することができるようにした掃除具が知られている。このタイプの掃除具において、清掃用シートは、例えば、ヘッド部上面の四隅に設けられた保持部に保持されることにより、ヘッド部に取り付けられるようになっている（例えば、特許文献１参照）。
また、清掃用シートの四隅にゴム紐を取り付け、掃除具のヘッド部上面に設けられた凸部にゴム紐を引っ掛けることで、清掃用シートを装着するタイプのものも知られている（例えば、特許文献２参照）。
【先行技術文献】
【特許文献】
【０００３】
【特許文献１】特開２００８−１６１５９２号公報
【特許文献２】特開平１０−２５８００８号公報
【発明の概要】
【発明が解決しようとする課題】
【０００４】
しかしながら、使用者が上記掃除具を用いて清掃作業を行っている最中に、ヘッド部から清掃用シートが外れてしまうことがあり、そのような場合、使用者により再度清掃用シートを保持部や凸部に取り付ける作業を行う必要があるため、余計な手間が生じていた。
また、一通り清掃作業を終えると清掃用シートが汚れてしまうため、汚れた清掃用シートを保持部や凸部から外して新しい清掃用シートに付け替える必要があり、手間が生じていた。
【０００５】
本発明は、掃除具への装着及び取り外しが容易な清掃用シートを提供することを目的とする。
【課題を解決するための手段】
【０００６】
請求項１に記載の発明は、上記目的を達成するためになされたものであり、
矩形状のヘッド部と、前記ヘッド部上面の中央に連結される柄と、を備える掃除具の前記ヘッド部に装着される清掃用シートにおいて、
前記ヘッド部装着時に短手方向となる方向の一端部の中央から他端部にかけて切れ込み部が形成され、
前記一端部と前記他端部の少なくとも一方には、対向する前記一端部と前記他端部とを着脱自在に係止する係止部が設けられていることを特徴とする。
【０００７】
請求項２に記載の発明は、請求項１に記載の清掃用シートにおいて、
前記切れ込み部により形成される切れ込みに沿うようにフリンジ部が設けられていることを特徴とする。
【０００８】
請求項３に記載の発明は、請求項１又は２に記載の清掃用シートにおいて、
前記係止部は、前記一端部に前記切れ込み部を挟んで一つずつ設けられていることを特徴とする。
【０００９】
請求項４に記載の発明は、請求項１又は２に記載の清掃用シートにおいて、
前記切れ込み部を挟んで分けられた２つの半面のうち、一方の半面は、予め前記一端部と前記他端部とが接合されて形成され、
他方の半面に、前記係止部が設けられていることを特徴とする。
【発明の効果】
【００１０】
本発明によれば、ヘッド部装着時に短手方向となる方向の一端部と他端部の少なくとも一方には、対向する一端部と他端部とを着脱自在に係止する係止部が設けられているので、係止部により一端部と他端部とを係止させるという簡易な作業で掃除具への装着を行うことができるとともに、一端部と他端部とを剥離させるという簡易な作業で掃除具からの取り外しを行うことができる。
また、ヘッド部装着時に短手方向となる方向の一端部の中央からから他端部にかけて切れ込み部が形成されているので、掃除具の柄の部分が清掃用シートの装着や清掃用シートの回転を妨げることはなく、掃除具への装着作業や清掃面の転換作業を容易に行うことができる。
【図面の簡単な説明】
【００１１】
【図１】本実施形態に係る清掃用シートの一例を示す上面図である。
【図２】本実施形態に係る清掃用シートを掃除具に装着している最中の一例を示す上面図である。
【図３】本実施形態に係る清掃用シートを掃除具に装着した状態の一例を示す上面図である。
【図４】図３の状態から清掃用シートをヘッド部回りに回転させた状態の一例を示す上面図である。
【図５】変形例に係る清掃用シートを掃除具に装着している最中の一例を示す上面図である。
【図６】変形例に係る清掃用シートを掃除具に装着した状態の一例を示す上面図である。
【発明を実施するための形態】
【００１２】
以下、本発明の実施の形態を図面に基づいて説明する。
【００１３】
図１〜３に示すように、本実施形態に係る清掃用シート１０は、矩形状のヘッド部２２と、ヘッド部２２上面の中央に連結される柄２１と、を備える掃除具２０のヘッド部２２に装着されて使用されるようになっている。具体的には、清掃用シート１０は、使用者が掃除具２０を操作するために握る柄２１が連結されたヘッド部２２を包み込む形で折り畳まれ、ヘッド部２２装着時に短手方向となる方向の一端部に設けられた第１係止部１３と他端部に設けられた第２係止部１４とが係止されることにより、掃除具２０に装着されるようになっている。
なお、以下の説明では、清掃用シート１０において、掃除具２０に装着された際の長手方向の一端側を左側、他端側を右側とし、掃除具２０に装着された際の短手方向の一端側を前側、他端側を後側とし、掃除具２０に装着された際に掃除具２０と接する側を上側、掃除具２０と接する側の反対側を下側とする。
【００１４】
清掃用シート１０は、図１〜３に示すように、ヘッド部２２装着時に、ヘッド部２２の形状に合わせて長手方向（左右方向）に長尺な矩形状を成すように形成されている。清掃用シート１０は、所定の繊維を繊維素材として、例えば、スパンレース、エアスルー、エアレイド、ポイントボンド、スパンボンド、ニードルパンチ等の周知の技術により製造される不織布である。
所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて用いることができる。
【００１５】
また、清掃用シート１０は、切れ込み部１１と、フリンジ部１２と、第１係止部１３，１３と、第２係止部１４，１４と、を備えて構成されている。
切れ込み部１１は、清掃用シート１０のヘッド部２２装着時に短手方向となる方向（前後方向）の一端部（図１では後端部）の中央から他端部（図１では前端部）にかけて形成されている。即ち、切れ込み部１１は、掃除具２０の柄２１の位置に相当する箇所に形成されるようになっている。ここで、切れ込み部１１は、後端部から前後方向の長さの３／４程度進んだ位置まで形成されることが好ましい。そうすることで、後述する清掃用シート１０の清掃面の転換作業の際に、清掃用シート１０を完全に半回転させることができることとなって、清掃用シート１０の全面を効率的に利用することができる。
【００１６】
フリンジ部１２は、例えば、清掃用シート１０と同様の不織布をフリンジ状に細長くカットしたもので構成され、切れ込み部１１により形成される切れ込みに沿うように設けられている。即ち、フリンジ部１２は、切れ込み部１１により形成された切れ込み（隙間）を埋める役割を有している。
【００１７】
第１係止部１３，１３は、清掃用シート１０のヘッド部２２装着時に短手方向となる方向（前後方向）の一端部（図１では後端部）の上面側に、切れ込み部１１を挟んで一つずつ設けられている。
第１係止部１３，１３は、例えば、略矩形状に形成され、面ファスナのオス材の係止要素である、鉤状、きのこ状、錨状等の多数の突起が形成されたフック材が設けられている。そして、第１係止部１３，１３は、後述する第２係止部１４，１４に剥離可能に係止される（図２，３参照）。
【００１８】
第２係止部１４，１４は、清掃用シート１０のヘッド部２２装着時に短手方向となる方向（前後方向）の他端部（図１では前端部）の下面側に、第１係止部１３，１３と対向する位置に一つずつ設けられている。
第２係止部１４，１４は、第１係止部１３，１３を係止するためのメス材の係止要素を構成している。具体的には、第２係止部１４，１４は、例えば、係止用不織布により構成され、基材シートに第１係止部１３，１３のフック材と機械的に係合するループ状の繊維であるループ材が配置されて構成されている。なお、係止用不織布としては、例えば、ポリエチレン、ポリプロピレン、ポリエチレンテレフタレート、ナイロンなど、広く知られた汎用性の高い可塑性素材からなる単組成の素材若しくは複合組成の素材を用いることができる。
【００１９】
なお、第１係止部１３，１３と第２係止部１４，１４の位置関係は、これに限定されるものではなく、例えば、清掃用シート１０の前端部の下面側に第１係止部１３，１３を設け、後端部の上面側に第２係止部１４，１４を設けるようにしてもよい。或いは、第２係止部１４，１４を、前端部の下面側ではなく、前端部の上面側に設けるようにしてもよい。
【００２０】
また、第１係止部１３，１３及び第２係止部１４，１４は、どちらか一方だけ構成されていればよい。即ち、ヘッド部２２装着時に短手方向となる方向の一端部と他端部の少なくとも一方に、対向する一端部と他端部とを着脱自在に係止する係止部（第１係止部１３，１３又は第２係止部１４，１４）が設けられていればよい。例えば、一端部に清掃用シート１０を構成する不織布に係止可能なフック材を配置した第１係止部１３，１３を設け、他端部の不織布と直接係止させる構成としてもよい。
【００２１】
次に、清掃用シート１０の使用方法について説明する。
まず、清掃用シート１０を掃除具２０に装着する。具体的には、清掃用シート１０を図１に示したように広げた状態で、清掃用シート１０の上面に掃除具２０のヘッド部２２を載置し、清掃用シート１０のヘッド部２２装着時に短手方向となる方向の一端部に設けられた第１係止部１３，１３と他端部に設けられた第２係止部１４，１４とを一つずつ係止させる（図２，３参照）。
そして、使用者は、清掃用シート１０が装着された掃除具２０の柄２１を握り、清掃用シート１０の清掃面（ヘッド部２２の下面側）で床面の汚れや埃などを払拭して除去する。
【００２２】
一通り清掃作業を終えると、清掃用シート１０の清掃面が汚れるので、使用者は、図３の状態から清掃用シート１０を前後方向に反時計回りに回転させる。このとき、ヘッド部２２に連結された柄２１は、清掃用シート１０に形成された切れ込み部１１を移動することとなるので、清掃用シート１０の回転を妨げることはない。
そして、図４に示すように、汚れた清掃用シート１０の清掃面がヘッド部２２の上面側に到達するまで清掃用シート１０を回転させる。これにより、清掃用シート１０のうち、図３でヘッド部２２の上面側だった部分を新たな清掃面として利用することができる。なお、清掃用シート１０には、切れ込み部１１により形成された切れ込みに沿うようにフリンジ部１２が設けられているため、新たな清掃面においても隙間が生じることはなく、清掃作業に不都合が生じることはない。
そして、再度の清掃作業を終えると、清掃用シート１０の全体が汚れるので、使用者は、第１係止部１３，１３と第２係止部１４，１４とを剥離し、掃除具２０から清掃用シート１０を取り外す。その後、同様の方法で、新たな清掃用シート１０を掃除具２０に装着する。
【００２３】
以上のように、本実施形態に係る清掃用シート１０によれば、ヘッド部２２装着時に短手方向となる方向の一端部と他端部の少なくとも一方には、対向する一端部と他端部とを着脱自在に係止する係止部（第１係止部１３，１３、第２係止部１４，１４）が設けられているので、係止部により一端部と他端部とを係止させるという簡易な作業で掃除具２０への装着を行うことができるとともに、一端部と他端部とを剥離させるという簡易な作業で掃除具２０からの取り外しを行うことができる。
特に、第１係止部１３，１３は、ヘッド部２２装着時に短手方向となる方向の一端部に切れ込み部１１を挟んで一つずつ設けられているので、清掃用シート１０を広げた状態で、清掃用シート１０の上面に掃除具２０（のヘッド部２２）を載置し、第１係止部１３，１３と第２係止部１４，１４とを一つずつ係止させるという簡易な作業で掃除具２０への装着を行うことができるとともに、第１係止部１３と第２係止部１４とを一つずつ剥離させるという簡易な作業で掃除具２０からの取り外しを行うことができる。
また、ヘッド部２２装着時に短手方向となる方向の一端部の中央から他端部にかけて切れ込み部１１が形成されているので、掃除具２０の柄２１の部分が清掃用シート１０の装着や清掃用シート１０の回転を妨げることはなく、掃除具２０への装着作業や清掃面の転換作業を容易に行うことができる。
【００２４】
また、本実施形態に係る清掃用シート１０によれば、切れ込み部１１により形成される切れ込みに沿うようにフリンジ部１２が設けられているので、掃除具２０の清掃面に、切れ込み部１１を形成したことによる隙間が生じることがないため、清掃作業に不都合が生じることがなくなる。
【００２５】
以上、本発明に係る実施形態に基づいて具体的に説明したが、本発明は上記実施形態に限定されるものではなく、その要旨を逸脱しない範囲で変更可能である。
【００２６】
＜変形例＞
例えば、図５，６に示す例では、清掃用シート１０の切れ込み部１１を挟んで分けられた２つの半面のうち、一方の半面（図５では左面側）は、予めヘッド部２２装着時に短手方向となる方向（前後方向）の一端部と他端部とが接合されて形成されている。そして、他方の半面（図５では右面側）に、第１係止部１３及び第２係止部１４が設けられている。
使用者は、清掃用シート１０を使用する際、まず、図５に示すように、ヘッド部２２装着時に長手方向となる方向（左右方向）の中央側からヘッド部２２を挿入する。そして、図６に示すように、清掃用シート１０の他方の半面（図５では右面側）において、清掃用シート１０のヘッド部２２装着時に短手方向となる方向（前後方向）の一端部に設けられた第１係止部１３と他端部に設けられた第２係止部１４とを係止させることにより、清掃用シート１０を掃除具２０に装着させる。
【００２７】
以上のように、変形例に係る清掃用シート１０によれば、切れ込み部１１を挟んで分けられた２つの半面のうち、一方の半面は、予めヘッド部２２装着時に短手方向となる方向（前後方向）の一端部と他端部とが接合されて形成され、他方の半面に、係止部（第１係止部１３、第２係止部１４）が設けられているので、ヘッド部２２装着時に長手方向となる方向（左右方向）の中央側からヘッド部２２を挿入し、係止部により他方の半面の一端部と他端部とを係止させるという簡易な作業で掃除具２０への装着を行うことができるとともに、他方の半面の一端部と他端部とを剥離させてヘッド部２２を取り出すという簡易な作業で掃除具２０からの取り外しを行うことができる。
【００２８】
また、上記実施形態では、第１係止部１３，１３としてフック材を設け、第２係止部１４，１４としてループ材を設ける構成を例示して説明しているが、これに限定されるものではない。例えば、第１係止部１３，１３及び第２係止部１４，１４としてそれぞれ接着テープ等の接着部材を設けるようにし、接着部材同士を着脱可能に接着させることで、清掃用シート１０を掃除具２０に装着させるようにしてもよい。即ち、第１係止部１３，１３及び第２係止部１４，１４の構成は、着脱を自在に行える構成であればいかなる構成であってもよい。
また、第１係止部１３，１３及び第２係止部１４，１４は、どちらか一方だけ構成されていればよく、例えば、一端部に清掃用シート１０を構成する不織布に係止可能な接着部材を配置した第１係止部１３，１３を設け、他端部の不織布と直接係止させる構成としてもよい。
【符号の説明】
【００２９】
１０  清掃用シート
１１  切れ込み部
１２  フリンジ部
１３  第１係止部（係止部）
１４  第２係止部（係止部）
２０  掃除具
２１  柄
２２  ヘッド部
【図１】
0005762141.tif 000002
【図２】
0005762141.tif 000003
【図３】
0005762141.tif 000004
【図４】
0005762141.tif 000005
【図５】
0005762141.tif 000006
【図６】
0005762141.tif 000007